(57)【要約】【課題】接続端子とバックカバーのカバー開口部との隙間に異物が入り込むという課題があった。【解決手段】プリント基板８ａと、端子挿入部７ａと、端子挿入部７ａに一体成形され端子挿入部７ａの短辺側に位置しバックカバー９に覆われた状態でバックカバー９とともにプリント基板８ａに固定される固定部７ｂと、端子挿入部７ａの長辺側の両端に断面が略長方形であり長辺の長さが端子挿入部７ａの長辺と略等しいリブ１ａと、を備える接続端子１と、接続端子１を覆った状態で固定部７ｂにおいて接続端子１とともにプリント基板ｂａに固定されるネジ孔１７ｂと、端子挿入部７ａ及びリブ１ａのみを露見させるカバー開口部９ａと、を備えるバックカバー９と、からなる接続端子の取り付け構造。【選択図】図３
2011097496.tif 000002
【特許請求の範囲】
【請求項１】
プリント基板と、
端子挿入部と、前記端子挿入部に一体成形され前記端子挿入部の短辺側に位置し該カバーに覆われた状態で該カバーとともに前記プリント基板に固定される固定部と、前記端子挿入部の長辺側の両端に断面が略長方形であり長辺の長さが前記端子挿入部の長辺と略等しいリブと、を備える接続端子と、
該接続端子を覆った状態で前記固定部において前記接続端子とともに前記プリント基板に固定される孔部と、前記端子挿入部及び前記リブのみを露見させる開口部と、を備えるカバーと、
からなる接続端子の取り付け構造。
【請求項２】
前記リブは、少なくとも１つの外気取入孔部を備える
ことを特徴とする請求項１記載の接続端子の取り付け構造。
【発明の詳細な説明】
【技術分野】
【０００１】
本発明は、接続端子の取り付け構造に関するものであり、特にテレビ受像機の接続端子に適するものである。
【背景技術】
【０００２】
テレビ受像機のプリント基板上に設置される従来の接続端子を図７に示す。
【０００３】
図７（ａ）は接続端子７を端子挿入孔側から見た図、図７（ｂ）はその側面図、図７（ｃ）はその斜視図である。
【０００４】
接続端子７は、複数の端子挿入孔１７ａを有し略直方体の端子挿入部７ａと、端子挿入部７ａと一体成形され端子挿入部７ａの短辺側に位置しバックカバー９に覆われた状態でバックカバー９とともにプリント基板８ａに固定される固定部７ｂとを備えている。また固定部７ｂは、接続端子７がプリント基板８ａ上に設置された状態でバックカバー９を上から被せ、取付ネジで接続端子７及びバックカバー９をプリント基板８ａにネジ止めするためのネジ孔１７ｂを各固定部７ｂに各１箇所備えている。
【０００５】
図８は、接続端子７をテレビ受像機のプリント基板８ａ上に設置した図である。プリント基板８ａはシャーシ８ｂに取付ネジ８ｄで４箇所ネジ止めされており、シャーシ８ｂは、バックカバー９とネジ止めするためのネジ孔８ｃを４箇所備えている。
【０００６】
図９は、テレビ受像機のバックカバー９であり、バックカバー９から接続端子７の端子挿入部７ａを露見させるためのカバー開口部９aと、バックカバー９及び接続端子７をプリント基板８ａにネジ止めするためのネジ孔９ｂを合計４箇所と、バックカバー９とシャーシ８ｂをネジ止めするためのネジ孔９ｃを合計４箇所と、を備えている。
【０００７】
図１０は、バックカバー９をプリント基板８ａが取り付けられたシャーシ８ｂにネジ孔８ｃ及びネジ孔９ｃでネジ止めした図であり、接続端子７の端子挿入部７ａがバックカバー９のカバー開口部９ａから露見している。
【０００８】
図１１は、図１０において点線で囲まれた箇所を拡大した図である。カバー開口部９ａは取り付けばらつきを考慮して接続端子７に対して大きめに設計されており、隙間１１が設けられている。
【先行技術文献】
【特許文献】
【０００９】
【特許文献１】特開２００５−１５８５８７号公報
【発明の概要】
【発明が解決しようとする課題】
【００１０】
しかしながら、従来の接続端子の取り付け構造においては、隙間１１に異物が入り込み、プリント基板上の素子等の故障の原因となるという問題点があった。
【００１１】
本発明は、上記従来の課題を解消し、接続端子とカバー開口部の間の隙間を塞ぎ、異物が入り込むのを防ぐことができる接続端子の取り付け構造を提供することを目的としている。
【課題を解決するための手段】
【００１２】
本発明は、前記従来の課題を解決するもので、本発明の接続端子の取り付け構造は、プリント基板と、端子挿入部と、前記端子挿入部に一体成形され前記端子挿入部の短辺側に位置し該カバーに覆われた状態で該カバーとともに前記プリント基板に固定される固定部と、前記端子挿入部の長辺側の両端に断面が略長方形であり長辺の長さが前記端子挿入部の長辺と略等しいリブと、を備える接続端子と、該接続端子を覆った状態で前記固定部において前記接続端子とともに前記プリント基板に固定される孔部と、前記端子挿入部及び前記リブのみを露見させる開口部と、を備えるカバーと、を備える。
【００１３】
また、前記リブは、少なくとも１つの外気取入孔部を備える。
【発明の効果】
【００１４】
本発明の接続端子の取り付け構造によれば、接続端子にリブを設けることで、バックカバーを取り付けた際に生じる接続端子とカバー開口部の間の隙間を塞ぐことにより隙間に異物が入り込むことを防ぐことができ、プリント基板上の素子等の異物混入による故障を軽減することが可能となる。
【００１５】
また、本発明の接続端子の取り付け構造によれば、接続端子に設けたリブに外気取入孔を設けることで、バックカバー内部に外気を取り入れることができ、プリント基板上の素子の異物混入による故障を軽減するとともに、プリント基板上の素子等の温度上昇を抑制することが可能となる。
【図面の簡単な説明】
【００１６】
【図１】本発明の実施例１における接続端子を示す図
【図２】本発明の実施例１における接続端子をプリント基板上に設置した図
【図３】本発明の実施例１における接続端子にバックカバーを被せた状態の要部拡大図
【図４】本発明の実施例２における接続端子を示す図
【図５】本発明の実施例２における接続端子をプリント基板上に設置した図
【図６】本発明の実施例２における接続端子にバックカバーを被せた状態の要部拡大図
【図７】従来の接続端子を示す図
【図８】従来の接続端子をプリント基板上に設置した図
【図９】バックカバーを示す図
【図１０】従来の接続端子にバックカバーを被せた状態の図
【図１１】従来の接続端子にバックカバーを被せた状態の要部拡大図
【発明を実施するための形態】
【００１７】
以下、本発明の実施の形態について、図面を参照しながら説明する。なお同一の機能を有する構成には同じ番号を付して説明を省略する場合がある。
【実施例１】
【００１８】
本発明の実施例１における接続端子を図１示す。
【００１９】
図１（ａ）は接続端子１を端子挿入孔側から見た図、図１（ｂ）はその側面図、図１（ｃ）は斜視図である。
【００２０】
接続端子１は、接続端子７と同様、複数の端子挿入孔１７ａを有し略直方体の端子挿入部７ａと、端子挿入部７ａと一体成形され端子挿入部７ａの短辺側に位置しバックカバー９に覆われた状態でバックカバー９とともにプリント基板８ａに固定される固定部７ｂとを備えるとともに、新たに、端子挿入部７ａの長辺側の両端に断面が略長方形であり長辺の長さが端子挿入部７ａの長辺と略等しい樹脂製のリブ１ａを備える。また、接続端子７と同様、固定部７ｂは、接続端子７がプリント基板８ａ上に設置された状態でバックカバー９を上から被せ、取付ネジで接続端子７及びバックカバー９をプリント基板８にネジ止めするためのネジ孔１７ｂを各固定部７ｂに各１箇所備えている。
【００２１】
図２は、接続端子１をテレビ受像機のプリント基板８ａ上に設置した図である。プリント基板８ａ上には、接続端子１の他にもカードスロットや電源供給部、ディスクリート部品等が搭載されている。プリント基板８ａはシャーシ８ｂに取付ネジ８ｄで４箇所ネジ止めされており、シャーシ８ｂは、バックカバー９とネジ止めするためのネジ孔８ｃを４箇所備えている。
【００２２】
図３は、接続端子１が設置されたプリント基板８ａをシャーシ８ｂに取付ネジ８ｄでネジ止めした状態でバックカバー９を被せ、ネジ孔８ｃ及びネジ孔９ｃでネジ止めした状態の要部拡大図である。
【００２３】
バックカバー９のカバー開口部９ａからは、接続端子１の端子挿入部７ａとリブ１ａが露見しており、接続端子７にバックカバー９を被せた際に存在した隙間１１はリブ１ａにより塞がれた状態になっている。
【００２４】
以上、本実施例１の接続端子１の取り付け構造によれば、接続端子にリブを設けることで、バックカバーを取り付けた際に生じる接続端子とカバー開口部の間の隙間を塞ぐことにより隙間に異物が入り込むことを防ぐことができ、プリント基板上の素子の異物混入による故障を軽減することが可能となる。
【実施例２】
【００２５】
本発明の実施例２における接続端子を図４に示す。
【００２６】
図４（ａ）は接続端子４を端子挿入孔側から見た図、図４（ｂ）はその側面図、図４（ｃ）はその斜視図である。
【００２７】
図５は、接続端子４をテレビ受像機のプリント基板８ａ上に設置した図である。プリント基板８ａ上には、接続端子４の他にもカードスロットや電源供給部、ディスクリート部品等が搭載されている。プリント基板８ａはシャーシ８ｂに取付ネジ８ｄで４箇所ネジ止めされており、シャーシ８ｂは、バックカバー９とネジ止めするためのネジ孔８ｃを４箇所備えている。
【００２８】
図６は、接続端子４が設置されたプリント基板８ａをシャーシ８ｂに取付ネジ８ｄでネジ止めした状態でバックカバー９を被せ、ネジ孔８ｃ及びネジ孔９ｃでネジ止めした状態の要部拡大図である
ここで、接続端子４が接続端子１と異なる点は、端子挿入孔側から見て断面が略正方形のリブ４ａを備え、図６に示すように、リブ４ａはバックカバー９を被せた状態で外気を取り入れるための隙間４ｂを設けた状態で端子挿入部７ａの長辺側の両端に複数備えられている点である。
【００２９】
なお、リブ４ａの断面は略正方形としたが、これに限らず、多角形または円形であっても良い。
【００３０】
以上、本実施例２の接続端子４の取り付け構造によれば、接続端子に設けたリブに外気取入孔を設けることで、バックカバー内部に外気を取り入れることができ、プリント基板上の素子の異物混入による故障を軽減するとともにセット内の温度上昇を抑制することが可能となる。
【産業上の利用可能性】
【００３１】
本発明は、接続端子にリブを設けることで、バックカバーを取り付けた際に生じる接続端子とカバー開口部との隙間を塞ぐことにより隙間に異物が入り込むことを防ぐことができ、プリント基板上の素子等への異物混入による故障を軽減することが可能となり、接続端子の取り付け構造において有用である。
【符号の説明】
【００３２】
１、４、７    接続端子
１ａ、４ａ    リブ
４ｂ、１１    隙間
７ａ    端子挿入部
７ｂ    固定部
８ａ    プリント基板
８ｂ    シャーシ
８ｃ、９ｂ、９ｃ、１７ｂ    ネジ孔
８ｄ    取付ネジ
９    バックカバー
９ａ    カバー開口部
１７ａ    端子挿入孔
【図１】
2011097496.tif 000003
【図２】
2011097496.tif 000004
【図３】
2011097496.tif 000005
【図４】
2011097496.tif 000006
【図５】
2011097496.tif 000007
【図６】
2011097496.tif 000008
【図７】
2011097496.tif 000009
【図８】
2011097496.tif 000010
【図９】
2011097496.tif 000011
【図１０】
2011097496.tif 000012
【図１１】
2011097496.tif 000013